(57)【要約】
【課題】　全体の横向き長さを大幅に低減することができ、昇降油圧シリンダーの出力パワーが省力化でき、ホイールの摩擦力が小さくなる。
【解決手段】　前伸びロッドと、メン支持柱と、開閉制御装置と、を組み込むための底座の上には支持座が設けてあり、前記支持座の底端の前後にはメン支持柱の挿入のための矩形片で構成された定位窪みが形成してあり、且つ前記定位窪みに応じて逆L型スライド溝および下取付孔が設けてあり、上下ボルトを別々に逆L型スライド溝と下取付孔とに設けるとメン支持柱が定位され、下ボルトを抜いて上ボルトを緩めると、メン支持柱を横にすることができ、上ボルトを逆L型スライド溝の横向き延長段の底まで押せば、横になるメン支持柱が後ろへ移動し、全体の長さ及び体積を減少することができる。
【選択図】　　　　図１
0003100260.tif 000002
【実用新案登録請求の範囲】
【請求項１】
　前伸びロッドと、メン支持柱と、開閉制御装置と、を組み込むための底座が設けてあり、且つブームと架台とを駆動して患者を運搬するように、メン支持柱の上には昇降油圧シリンダーが設けてある患者運搬架において、
　底座の両側の先端に前伸びロッドの後端が枢軸によって組み込まれ、且つ底座の両側の後ろにはリアホイールが設けてあり、前記底座の後ろに枢軸によって旋回自在に枢接した開閉制御装置は、その二つのレバーが別々に前伸びロッドの後端と連接し、これにより、開閉制御装置を操作している際に前伸びロッドが連動して開閉されることを特徴とする、患者運搬架。
【請求項２】
　前伸びロッドと、メン支持柱と、開閉制御装置と、を組み込むための底座が設けてあり、且つブームと架台とを駆動して患者を運搬するように、メン支持柱の上には昇降油圧シリンダーが設けてある患者運搬架において、
　底座の上には支持座が設けてあり、前記支持座の底端の前後にはメン支持柱の挿入のための矩形片で構成された定位窪みが形成してあり、且つ前記定位窪みに応じて逆L型スライド溝および下取付孔が設けてあり、上下ボルトを別々に逆L型スライド溝と下取付孔とに設けるとメン支持柱が定位され、下ボルトを抜いて上ボルトを緩めると、メン支持柱を横にすることができ、上ボルトを逆L型スライド溝の横向き延長段の底まで押せば、横になるメン支持柱が後ろへ移動し、全体の長さ及び体積を減少することができることを特徴とする、患者運搬架。
【請求項３】
　前伸びロッドと、メン支持柱と、開閉制御装置と、を組み込むための底座が設けてあり、且つブームと架台とを駆動して患者を運搬するように、メン支持柱の上には昇降油圧シリンダーが設けてある患者運搬架において、
　メン支持柱の下は一箇所の折曲段で挿立段と連接し、折曲段の底端と挿立段の連接する箇所に昇降油圧シリンダーが設けてあり、これで昇降油圧シリンダーによってブームを上げる中心線が一側へ移動できるため、ブームと上げられた着力点の間の距離を増加して省力することができることを特徴とする、患者運搬架。
【考案の詳細な説明】
【技術分野】
【０００１】
　この考案は患者運搬架に係り、特に収納しようとする際に、横になった枠を更に後ろへ移動させて、全体の長さ及び体積を減少できる患者運搬架に関する。
【背景技術】
【０００２】
　図８を参照する。この従来の患者運搬架は１９９６年５月１３日に本願の出願者が開発して実用新案を登録したものである。これは、メン枠が折られることによって収納スペースを低減する発明である。該発明は、底座を有し、前記底座の上の適当な箇所では折って収納できる支持架が設けてあり、前記支持架の上方の末端には一箇所のひじによって架台と枢接するためのヘッドと枢接し、前記架台の末端には吊り袋を掛けるための一つのフックが設けてあり、前記架台の内側と支持架の上段の内側とに自在な昇降架が設けてある。その発明の特徴は、支持架の下段は外へ傾斜し（支持架と底座の鉛直線はθ１を成し）、前記支持架の上方には一上段が延在しており、前記上段も外へ傾斜し（支持架と底座の鉛直線はθ２を成し）、前記上段の末端は内側へ角度θ３を折曲し、傾斜した端面はひじと枢接し（傾斜した端面での枢接した箇所と底座の鉛直線はθ４を成し）、支持架と鉛直線の間の多段傾斜により、架台の旋回できるスペースがもっと広くなり、折って収納するときにも、収納スペースを低減することができる。
【０００３】
　また、図９に示すもう一つの患者運搬架も本願の出願者が開発して実用新案を登録したものである。これは、底座と、支持柱と、ブームと、架台と、昇降装置と、自在関節と、から構成され、U型の底座は、下には自在ホイールが設けてあり、上には枢接座によって支持柱と連接し、前記支持柱の前には昇降装置が設けてあり、上下にスイングするブームは患者を運搬するための架台を駆動して上下に昇降するように、前記昇降装置の出力軸端はブームの下にある耳部と枢接する。その発明の特徴は、前記支持柱の上端とブームの間にはある長さを有する一箇所の自在関節が枢接してあり、前記自在関節は、その一端には支持ピンによって支持柱の上端と枢接し、その他端には逆U型の溝を有し、ブームの一端を前記逆U型の溝に入れた後、まず固定支持ピンを挿入させ、また、前記逆U型溝にある孔及びブームに一つのバネピンを挿入してブームを定位し、且つ支持柱と枢接するように、底座にある枢接座にバネピンともう一つの固定ピンとを別々に上下に挿入し、バネピンを自在関節から抜いたときには、固定ピンを支点としてブームを折って収納することができ、昇降装置及びブームを支持柱にもっと近接することができ、ひいては収納スペースを低減することができる。
【考案の開示】
【考案が解決しようとする課題】
【０００４】
　しかしながら、上記の二発明は、支持架を折った後、後段にあるホイールは依然として相当の長さに左へ延在しているため、横向き長さはかなり長いので、収納スペースをかなり占めた。
【課題を解決するための手段】
【０００５】
　上記課題を解決するためになされた本願の請求項１は、前伸びロッドと、メン支持柱と、開閉制御装置と、を組み込むための底座が設けてあり、且つブームと架台とを駆動して患者を運搬するように、メン支持柱の上には昇降油圧シリンダーが設けてある患者運搬架において、底座の両側の先端に前伸びロッドの後端が枢軸によって組み込まれ、且つ底座の両側の後ろにはリアホイールが設けてあり、前記底座の後ろに枢軸によって旋回自在に枢接した開閉制御装置は、その二つのレバーが別々に前伸びロッドの後端と連接し、これにより、開閉制御装置を操作している際に前伸びロッドが連動して開閉されることを特徴とする患者運搬架であることを要旨としている。なお、リアホイールを底座に設けたため、操作が省力化される。
【０００６】
　本願の請求項２では、前伸びロッドと、メン支持柱と、開閉制御装置と、を組み込むための底座が設けてあり、且つブームと架台とを駆動して患者を運搬するように、メン支持柱の上には昇降油圧シリンダーが設けてある患者運搬架において、底座の上には支持座が設けてあり、前記支持座の底端の前後にはメン支持柱の挿入のための矩形片で構成された定位窪みが形成してあり、且つ前記定位窪みに応じて逆L型スライド溝および下取付孔が設けてあり、上下ボルトを別々に逆L型スライド溝と下取付孔とに設けるとメン支持柱が定位され、下ボルトを抜いて上ボルトを緩めると、メン支持柱を横にすることができ、上ボルトを逆L型スライド溝の横向き延長段の底まで押せば、横になるメン支持柱が後ろへ移動し、全体の長さ及び体積を減少することができることを特徴とする患者運搬架であることを要旨としている。
【０００７】
　本願の請求項３では、前伸びロッドと、メン支持柱と、開閉制御装置と、を組み込むための底座が設けてあり、且つブームと架台とを駆動して患者を運搬するように、メン支持柱の上には昇降油圧シリンダーが設けてある患者運搬架において、メン支持柱の下は一箇所の折曲段で挿立段と連接し、また、折曲段の底端と挿立段の連接する箇所で一昇降油圧シリンダーが設けてあり、これで昇降油圧シリンダーによってブームを上げる中心線が一側へ移動でき、そうすると、ブームと上げられた着力点の間の距離を増加して省力することができることを特徴とする患者運搬架であることを要旨としている。
【考案の効果】
【０００８】
　この考案に係る患者運搬架によれば、次のような効果がある。
（１）水平に倒したメン支持柱を後側へスライドすることができるため、全体の横向き長さを大幅に低減することができる。
【０００９】
（２）挿立段の上には一箇所の折曲段が設けてあるため、ブームにある支点が後側へ移動されて突起座との距離が増大し、これにより、昇降油圧シリンダーの出力パワーが省力化でき、簡単に操作することもできる。
【００１０】
（３）前伸びロッドが開閉しているときには、ただフロントホイールが移動され、リアホイールは底座に設けたため移動しない。これにより、従来のように四ホイールが全て移動するため、摩擦力がより大きくなるということを回避でき、省力化になる。
【考案を実施するための最良の形態】
【００１１】
　まず、図１を参照する。図１に示すのは、底座１と、前伸びロッド２と、開閉制御装置３と、メン支持柱４と、昇降油圧シリンダー５と、から構成される患者運搬架である。
【００１２】
　また、図１と図２を参照する。底座１には支持座１２を設けた上下板枠１１が設けてあり、板枠１１の両側の先端に前伸びロッド２の後端が枢軸１１１によって自在に枢接され、且つ板枠１１の両側の後ろにはリアホイール１１３が設けてある。前記支持座１２の底端の前後にはメン支持柱４の挿入のための矩形片１２１で構成された定位窪み１２２が形成してあり、且つ支持座１２の下には下ボルト１２４を挿入するための下取付孔１２３が設けてあり、支持座１２の上には上ボルト１２６を挿入するための逆L型スライド溝１２５が設けてある。前記逆L型スライド溝１２５は、鉛直段１２５１と横向き延長段１２５２とを連通して構成されたものである。前記横向き延長段１２５２の長さは支持座１２の後ろへ延長する長さによって増加できる。且つ開閉制御装置と干渉しない限り、できる限り延長することができる。
【００１３】
　前伸びロッド２は、その先端にはフロントホイール２１が設けてあり、その後端には板枠１１と枢接するとともに、開閉制御装置３の両側にあるレバー３１と枢接するための一支持枠が設けてある。前記開閉制御装置３の踏みロッド３２から下へ伸びたスイングアーム３３は、枢軸３４によって底座１の後側にある板と枢接し、且つその上下端には別々にレバー３１と連接しており、前記踏みロッド３２の何れか一方を踏むと、レバー３１が同時に内側へ又は外側へ移動され、これで、前伸びロッド２の開閉を駆動する操作が達成でき、且つ前記前伸びロッド２が開閉しているときには、ただフロントホイール２１が移動され、リアホイール１１３が底座１に設けたため移動しない。これにより、従来のように四ホイールが全て移動するため、摩擦力がより大きいとのことを回避でき、省力化になる。
【００１４】
　メン支持柱４の下にある挿立段４１は、支持座１２に挿入し定位窪み１２２内に定位され、上、中央、下貫通孔４２，４３，４４が設けてあり、且つ挿立段４１の上には一箇所の折曲段４５が設けてあり、前記折曲段４５の斜面には昇降油圧シリンダー５を設けるための枢接座４６が設けてあり、なお、メン支持柱４の上端は耳部４７によってブーム４８と枢接し、前記ブーム４８の先端には架台４９を自在に設けている。前記昇降油圧シリンダー５の出力ロッドはブーム４８の下に設けた突起座５２と枢接することにより、前記昇降油圧シリンダー５が順調にブーム４８を昇降したり操作したりすることができ、且つ前記折曲段４５が設けてあるため、ブーム４８にある支点が後側へ移動されて前記突起座５２との距離が増大し、これにより、昇降油圧シリンダー５の出力パワーが省力化でき、簡単に操作することができる。
【００１５】
　また、図３から図７を参照する。この考案に係る患者運搬架を折って収納しようとするときには、まず、図３に示すように、ブーム４８と架台４９とを下へ折って、下ボルト１２４を抜いて上ボルト１２６を緩めてから、上ボルト１２６が逆L型スライド溝１２５の曲がり箇所（図４参照）に至るまでメン支持柱４を上へ上げ、ここで、挿立段４１の底端は定位窪み１２２から完全に離脱し上貫通孔４２が露出し、これでメン支持柱４を前へ折って（図５参照）水平に倒させることができる（図６参照）。また、水平に倒したメン支持柱４を後側へ押せば、上ボルト１２６は横向き延長段１２５２で底部までスライドし（図７参照）、ここで、上ボルト１２６を締付け、逆L型スライド溝１２５の曲がり箇所および上貫通孔４２に下ボルト１２４を挿通してロックし、そうすると、メン支持柱４が横になる状態で支持座１２と組み付ける。ここで、メン支持柱４が後側へある距離に移動されたため、患者運搬架の全体の収納体積が大幅に低減できる。
【図面の簡単な説明】
【００１６】
【図１】本考案の斜視図である。
【図２】本考案の一部を拡大した斜視図である。
【図３】本考案の操作方法を示す概略図１である。
【図４】本考案の操作方法を示す概略図２である。
【図５】本考案の操作方法を示す概略図３である。
【図６】本考案の操作方法を示す概略図４である。
【図７】本考案の操作方法を示す概略図５である。
【図８】従来の実施例の側面図である。
【図９】他の従来の実施例の斜視図である。
【符号の説明】
【００１７】
１　　　　　底座　　　　　　　　１１　　　　板枠
１１１　　　枢軸　　　　　　　　１１２　　　延長板
１１３　　　リアホイール　　　　１２　　　　支持座
１２１　　　矩形片　　　　　　　１２２　　　定位窪み
１２３　　　下取付孔　　　　　　１２４　　　下ボルト
１２５　　　逆L型スライド溝　　１２５１　　鉛直段
１２５２　　横向き延長段　　　　１２６　　　上ボルト
２　　　　　前伸びロッド　　　　２１　　　　フロントホイール
２２　　　　支持枠　　　　　　　３　　　　　開閉制御装置
３１　　　　レバー　　　　　　　３２　　　　踏みロッド
３３　　　　スイングアーム　　　３４　　　　枢軸
４　　　　　メン支持柱　　　　　４１　　　　挿立段
４２　　　　上貫通孔　　　　　　４３　　　　中央貫通孔
４４　　　　下貫通孔　　　　　　４５　　　　折曲段
４６　　　　枢接座　　　　　　　４７　　　　耳部
４８　　　　ブーム　　　　　　　４９　　　　架台
５　　　　　昇降油圧シリンダー　５１　　　　出力ロッド
５２　　　　突起座
【図１】
0003100260.tif 000003
【図２】
0003100260.tif 000004
【図３】
0003100260.tif 000005
【図４】
0003100260.tif 000006
【図５】
0003100260.tif 000007
【図６】
0003100260.tif 000008
【図７】
0003100260.tif 000009
【図８】
0003100260.tif 000010
【図９】
0003100260.tif 000011